(57)【要約】【課題】ユーザに特別な作業を強いることなく、居住者の状態を直感的に把握可能な情報を表示する。【解決手段】生活行動表示装置３０は、住宅に供給された電力の値の推移に基づく演算をする演算装置２０から、互いに異なる複数の分割期間各々における電力の値の変動を示す変動データを取得する。また、生活行動表示装置３０は、住宅に供給された電力の値に関する画像パターンを、複数の分割期間各々について表示する画面を有する。さらに、生活行動表示装置３０は、時間軸設定部３１０及びパターン変化部３２０を有している。時間軸設定部３１０は、画面上に時間軸を設定する。パターン変化部３２０は、時間軸に沿って画像パターン各々を配置し、配置した画像パターン各々の属性を、変動データに応じて変化させる。【選択図】図２
2015095843.tif 000002
【特許請求の範囲】
【請求項１】
住宅に供給された電力の値の推移に基づく演算をする演算手段から、互いに異なる複数の期間各々における電力の値の変動を示す変動データを取得する取得手段と、
前記住宅に供給された電力の値に関する画像パターンを、前記複数の期間各々について表示する画面を有する表示手段と、
前記画面上に時間軸を設定する設定手段と、
前記設定手段によって設定された時間軸に沿って前記画像パターン各々を配置し、配置した前記画像パターン各々の属性を、前記取得手段によって取得された変動データに応じて変化させるパターン変化手段と、
を備える生活行動表示装置。
【請求項２】
前記取得手段は、長さが規定された電力変動時間を周期とする周期的な変動の大きさを示す変動データを取得し、
前記パターン変化手段は、前記画像パターン各々の属性を、変動データにより示される変動の大きさに対応づけて変化させる、
請求項１に記載の生活行動表示装置。
【請求項３】
前記パターン変化手段は、前記画像パターン各々の属性を、前記電力変動時間に応じた周期で変化させる、
請求項２に記載の生活行動表示装置。
【請求項４】
前記取得手段は、長さが異なる複数の前記電力変動時間各々についての変動の大きさを示す変動データを取得し、
前記パターン変化手段は、前記画像パターン各々の属性を、変動データにより示される変動の大きさ各々の和に対応づけて変化させる、
請求項２又は３に記載の生活行動表示装置。
【請求項５】
前記取得手段によって取得された変動データにより示される変動の大きさ各々の和が閾値以下である状態が継続している無反応時間を、前記画面上に提示する無反応時間提示手段、
を備える請求項４に記載の生活行動表示装置。
【請求項６】
前記画像パターンは、前記電力変動時間各々に対応する三角波が足し合わされた波形である、
請求項４又は５に記載の生活行動表示装置。
【請求項７】
前記パターン変化手段は、前記画像パターン各々の属性として、前記画像パターン各々の寸法、形状、色彩、角度、及び模様のうち少なくとも１つを変化させる、
請求項１から６のいずれか一項に記載の生活行動表示装置。
【請求項８】
前記設定手段は、視認可能な部分を含む時間軸を前記画面上に設定する、
請求項１から７のいずれか一項に記載の生活行動表示装置。
【請求項９】
前記設定手段は、折り畳まれた時間軸を設定することにより、複数の視認可能な部分を略平行に配置する、
請求項８に記載の生活行動表示装置。
【請求項１０】
前記住宅に供給される電力を計測する計測手段と、
前記計測手段による計測の結果に基づいて、前記複数の期間各々において前記住宅に供給された電力の値の変動についての演算をする前記演算手段と、
電力の値の変動を示す変動データを前記演算手段から取得する請求項１から９のいずれか一項に記載の生活行動表示装置と、
を備える生活行動表示システム。
【請求項１１】
前記演算手段は、電力の変動量の絶対値に基づく演算をする、
請求項１０に記載の生活行動表示システム。
【請求項１２】
住宅に供給された電力の値の推移に基づく演算をする演算手段から、互いに異なる複数の期間各々における電力の値の変動を示す変動データを取得する取得ステップと、
前記住宅に供給された電力の値に関する画像パターンを前記複数の期間各々について表示する画面上に、時間軸を設定する設定ステップと、
前記設定ステップにおいて設定された時間軸に沿って前記画像パターン各々を配置する配置ステップと、
前記配置ステップにおいて配置された前記画像パターン各々の属性を、前記取得ステップにおいて取得された変動データに応じて変化させるパターン変化ステップと、
を含む生活行動表示方法。
【請求項１３】
コンピュータを、
住宅に供給された電力の値の推移に基づく演算をする演算手段から、互いに異なる複数の期間各々における電力の値の変動を示す変動データを取得する取得手段、
前記住宅に供給された電力の値に関する画像パターンを前記複数の期間各々について表示する画面上に、時間軸を設定する設定手段、
前記設定手段によって設定された時間軸に沿って前記画像パターン各々を配置し、配置した前記画像パターン各々の属性を、前記取得手段によって取得された変動データに応じて変化させるパターン変化手段、
として機能させるためのプログラム。
【発明の詳細な説明】
【技術分野】
【０００１】
本発明は、生活行動表示装置、生活行動表示システム、生活行動表示方法及びプログラムに関する。
【背景技術】
【０００２】
核家族世帯の増加及びライフスタイルの多様化により、１つの世帯を構成する人員の数は減少する傾向にある。また、経済のグローバル化にともない、労働人口に対する単身赴任者の割合が増加することが予測される。このため、家族又は近親者の状態を遠方から確認するための技術について、盛んに研究及び開発が行われている（例えば、非特許文献１を参照）。
【０００３】
非特許文献１には、住居において使用される電力（総負荷電流）の変動が、居住者の生活行動の有無を判定するための有用な指標となることが記載されている。この非特許文献１に開示されたシステムでは、電力の変動に基づいて生活行動の有無を推定した結果が示される。
【０００４】
居住者の状態をユーザが宅外から確認する際には、現在の生活行動の有無だけではなく、過去の履歴として多数の時系列データも参照する場合が多い。この場合に参照されるデータは、その一覧性が高くなるように提示されることが望ましい。提示されるデータの一覧性が高いと、ユーザは、多数のデータに含まれる異常等を見落とすことなく、直感的に居住者の状態を理解することができる。そこで、例えば特許文献１に記載の技術を用いることが考えられる。
【０００５】
特許文献１に開示されたシステムは、複数のセンサ各々に対応するシンボルを、各センサの出力値に応じた色、大きさ、又は形状で画面に表示する。ユーザは、この画面を目視することで、センサが分散配置された空間の状況を容易に把握することができる。
【先行技術文献】
【特許文献】
【０００６】
【特許文献１】特開２００６−１０５３３号公報
【非特許文献】
【０００７】
【非特許文献１】「電気の使い方から独居高齢者を見守るシステム（その２）−総負荷電流の変化の累積度数分布を用いる方法−」、電力中央研究所  研究報告書（Ｒ０５０１３）、２００６年
【発明の概要】
【発明が解決しようとする課題】
【０００８】
しかしながら、電力の使用状況は家庭によって大きく異なるため、非特許文献１に記載のシステムに不適切なパラメータが設定されていると、生活行動の有無の推定精度が低下するおそれがあった。そのため、このシステムでは、家庭毎に適切なパラメータをあらかじめ設定するという作業が必要であった。また、生活行動の有無が誤って推定された場合に、特許文献１に記載の技術は、ユーザによる誤認識を助長するおそれがあった。
【０００９】
生活行動の有無が誤って推定される場合があることが知られていれば、ユーザは、電力の変動量等の生データを参照することで、居住者の状態を自ら判断することができる。しかしながら、このような判断は繁雑な作業となるだけではなく、専門家でないユーザにとって非常に困難な作業であるといえる。
【００１０】
本発明は、上記の事情に鑑みてなされたもので、ユーザに特別な作業を強いることなく、居住者の状態を直感的に把握可能な情報を表示することを目的とする。
【課題を解決するための手段】
【００１１】
上記目的を達成するために、本発明の生活行動表示装置は、住宅に供給された電力の値の推移に基づく演算をする演算手段から、互いに異なる複数の期間各々における電力の値の変動を示す変動データを取得する取得手段と、住宅に供給された電力の値に関する画像パターンを、複数の期間各々について表示する画面を有する表示手段と、画面上に時間軸を設定する設定手段と、設定手段によって設定された時間軸に沿って画像パターン各々を配置し、配置した画像パターン各々の属性を、取得手段によって取得された変動データに応じて変化させるパターン変化手段と、を備える。
【発明の効果】
【００１２】
本発明によれば、変動データに応じて画像パターンの属性が変化する。ユーザは、この変化により住宅における生活行動の有無を判断することができる。したがって、居住者の状態を直感的に把握可能な情報を表示することができる。
【図面の簡単な説明】
【００１３】
【図１】実施の形態１に係る生活行動表示システムを示す図である。
【図２】生活行動表示装置の機能を示すブロック図である。
【図３】生活行動表示装置によって表示される画面の例を示す図である。
【図４】演算処理を示すフロー図である。
【図５】特徴量の算出手順について説明するための図である。
【図６】表示処理を示すフロー図である。
【図７】入力画面の例を示す図である。
【図８】パターン変化処理を示すフロー図である。
【図９】画像パターンの変化について説明するための図である。
【図１０】無反応時間提示部により提示されるメッセージについて説明するための図である。
【図１１】実施の形態２に係る生活行動表示装置によって表示される画面の例を示す図である。
【図１２】画像パターンの変化について説明するための図である。
【図１３】変形例に係る生活行動表示装置によって表示される画面の例を示す図である。
【図１４】変形例に係る時間軸について説明するための図である。
【図１５】変形例に係る入力画面の例を示す図である。
【図１６】形状を変化させる例について説明するための図である。
【図１７】色彩を変化させる例について説明するための図である。
【図１８】角度を変化させる例について説明するための図である。
【図１９】模様を変化させる例について説明するための図である。
【発明を実施するための形態】
【００１４】
以下、本発明を実施するための形態について、図面を参照しつつ詳細に説明する。
【００１５】
実施の形態１．
図１には、実施の形態１に係る生活行動表示システム１００が示されている。この生活行動表示システム１００は、住宅Ｈ１で生活している居住者の行動の有無を、宅外のユーザＵ１が判断するための情報を表示する。以下では、住宅Ｈ１の居住者の行動を生活行動という。生活行動は、例えば、食事、排泄、入浴その他の電気機器の使用を含む。なお、住宅Ｈ１には、生活行動に用いられる種々の電気機器が設置されているものとする。
【００１６】
生活行動表示システム１００は、住宅Ｈ１に供給される電力を計測する電力計測器１０、電力計測器１０による計測の結果に基づく演算をする演算装置２０、及び演算装置２０による演算の結果を用いてユーザＵ１に対して情報を表示する生活行動表示装置３０を有している。
【００１７】
電力計測器１０は、住宅Ｈ１の分電盤１１に設置されている。電力計測器１０は、電力を計測する電力センサ、電力センサから出力されるセンサ値を処理するＭＣＵ（Micro Controller Unit）、ＭＣＵによって実行されるプログラムを記憶する第１のフラッシュメモリ、各種データを記憶する第２のフラッシュメモリ、及び、現在の日時を出力するＲＴＣ（Real Time Clock）等から構成される。なお、１つのフラッシュメモリのアドレスを区切ることで、第１及び第２のフラッシュメモリを構成してもよい。
【００１８】
電力計測器１０は、商用電源１２から引き込み線１３を介して住宅Ｈ１内の負荷１４へ供給される電力の瞬時値を、あらかじめ設定された周期で計測する。この周期は、例えば１０秒間である。負荷１４は、例えば居住者によって使用される電気機器であるため、電力計測器１０によって計測された電力の値は、居住者の生活行動により消費された電力の値に等しい。
【００１９】
電力計測器１０は、計測した電力の値を、計測した時刻と関連づけて、電力データ１０ｄとしてフラッシュメモリに順次記憶させる。フラッシュメモリには、住宅Ｈ１に供給された電力の値の推移が、時系列の電力データ１０ｄとして記憶されることとなる。
【００２０】
電力計測器１０は、演算装置２０からの問い合わせがあった場合に、フラッシュメモリから電力データ１０ｄを読み込んで、有線又は無線の通信路を介して演算装置２０へ送信する。この通信路は、特定のプロトコルを用いて１対１で通信するための専用線であってもよいし、ＬＡＮ（Local Area Network）等のネットワークであってもよい。
【００２１】
演算装置２０は、例えば、住宅Ｈ１に据え付けられたコンピュータ端末である。演算装置２０は、電力データ１０ｄに基づいて電力の変動の度合いを算出する。
演算装置２０は、図１に示されるように、演算処理を実行するプロセッサ２１、プロセッサ２１の作業領域として用いられる主記憶部２２、プロセッサ２１によって実行されるプログラムＰ２を記憶する第１補助記憶部２３、プロセッサ２１による演算の結果を示す変動データ２４ｄを記憶する第２補助記憶部２４、現在の日時を出力するＲＴＣ２５、定期的なタイミングをプロセッサ２１に通知するタイマ２６、及び、外部の機器と通信するためのインタフェース部２７を有している。主記憶部２２、第１補助記憶部２３、第２補助記憶部２４、ＲＴＣ２５、タイマ２６、及びインタフェース部２７はいずれも、内部バス２０１を介してプロセッサ２１に接続されている。
【００２２】
プロセッサ２１は、例えばＭＣＵ等から構成される。また、主記憶部２２は、例えばＲＡＭ等から構成される。主記憶部２２は、第１補助記憶部２３に記憶されるプログラムＰ２をロードする。第１補助記憶部２３及び第２補助記憶部２４は、例えばフラッシュメモリ等の不揮発性メモリを含んで構成される。なお、１つの記憶装置のアドレスを区切ることで、第１補助記憶部２３及び第２補助記憶部２４を構成してもよい。
【００２３】
ＲＴＣ２５は、プロセッサ２１からの要求に応じて、現在の日時をプロセッサ２１に通知する。タイマ２６は、プロセッサ２１による処理を開始するためのトリガーとなる信号を、一定の周期でプロセッサ２１に出力する。この周期は、例えば１時間である。
【００２４】
インタフェース部２７は、電力計測器１０及び生活行動表示装置３０と通信するための通信インタフェース等から構成される。インタフェース部２７は、プロセッサ２１の指示に従って、電力計測器１０に対して電力データ１０ｄの出力を要求する。そして、インタフェース部２７は、電力計測器１０から出力された電力データ１０ｄを受信して、プロセッサ２１へ伝送する。また、インタフェース部２７は、プロセッサ２１の指示に従って、有線又は無線の通信路を介して変動データ２４ｄを生活行動表示装置３０へ送信する。この通信路には、例えばインターネットが含まれる。
【００２５】
生活行動表示装置３０は、例えば、ユーザＵ１が所持するスマートフォン等の携帯端末である。生活行動表示装置３０は、図１に示されるように、表示処理を実行するプロセッサ３１、プロセッサ３１の作業領域として用いられる主記憶部３２、プロセッサ３１によって実行されるプログラムＰ３を記憶する補助記憶部３３、現在の日時を出力するＲＴＣ３５、定期的なタイミングをプロセッサ３１に通知するタイマ３６、外部の機器と通信するためのインタフェース部３７、ユーザＵ１がパラメータを入力するための入力部３８、及び、ユーザＵ１に対して情報を表示する表示部３９を有している。主記憶部３２、補助記憶部３３、ＲＴＣ３５、タイマ３６、インタフェース部３７、入力部３８、及び表示部３９はいずれも、内部バス３０１を介してプロセッサ３１に接続されている。
【００２６】
プロセッサ３１は、例えばＭＣＵ等から構成される。また、主記憶部３２は、例えばＲＡＭ等から構成される。主記憶部３２は、補助記憶部３３に記憶されるプログラムＰ３をロードする。補助記憶部３３は、例えばフラッシュメモリ等の不揮発性メモリを含んで構成される。
【００２７】
ＲＴＣ３５は、プロセッサ３１からの要求に応じて、現在の日時をプロセッサ３１に通知する。タイマ３６は、表示される静的な情報を更新することでアニメーションを表示するためのトリガーとなる信号を、一定の周期でプロセッサ２１に出力する。この周期は、例えば１／３０秒である。
【００２８】
インタフェース部３７は、演算装置２０と通信するための通信インタフェース等から構成される。インタフェース部３７は、プロセッサ３１の指示に従って、演算装置２０に対して変動データ２４ｄの出力を要求する。そして、インタフェース部３７は、演算装置２０から出力された変動データ２４ｄを受信して、プロセッサ３１へ伝送する。
【００２９】
入力部３８は、例えば入力キー及び静電容量方式のポインティングデバイスを含んで構成される。入力部３８は、ユーザＵ１によって指定されたパラメータを取得して、プロセッサ３１に通知する。
【００３０】
表示部３９は、文字や図形を表示する液晶ディスプレイ等の画面３９１、及び画面３９１に表示される内容を一時的に保持するＶＲＡＭ（Video RAM）３９２を有している。本実施の形態に係る画面３９１は、入力部３８を構成するポインティングデバイスと一体的に形成されることで、タッチスクリーンを構成する。なお、１つのＲＡＭのアドレスを区切ることで、主記憶部３２及びＶＲＡＭ３９２を構成してもよい。
【００３１】
生活行動表示装置３０は、プロセッサ３１等のハードウェア資源を利用してプログラムＰ３を実行することにより、種々の機能を発揮して、画面３９１に文字や図形を描画する。図２に示されるように、生活行動表示装置３０は、その機能として、画面３９１上に時間軸を設定する時間軸設定部３１０、画面３９１に表示されたパターンを変化させるパターン変化部３２０、及び、生活行動が検出されない時間を提示する無反応時間提示部３３０を有している。
【００３２】
また、図３には、時間軸設定部３１０、パターン変化部３２０及び無反応時間提示部３３０によって画面３９１に描画される内容の例が示されている。この画面３９１には、電力の値の変動について表示する領域４０、及び、メッセージを表示する領域５０が含まれている。
【００３３】
時間軸設定部３１０は、主としてプロセッサ３１によって実現される。時間軸設定部３１０は、図３に示されるように１本の線からなる時間軸４１を領域４０内に設定する。本実施の形態に係る時間軸４１は、交互に連結された可視の直線及び不可視の直線から構成され、折りたたんで表示される。
【００３４】
パターン変化部３２０は、主としてプロセッサ３１及びインタフェース部３７によって実現される。パターン変化部３２０は、図３に示されるように、時間軸４１に沿って複数の画像パターン４８を配置する。本実施の形態に係る画像パターン４８は、陰影が施された球を示す円形のアイコンである。また、パターン変化部３２０は、配置した画像パターン４８の属性を、変動データ２４ｄに基づいて、時間の経過とともに変化させる。本実施の形態では、画像パターン４８各々の属性として、アイコン各々の寸法が変化する。
【００３５】
無反応時間提示部３３０は、主としてプロセッサ３１及びインタフェース部３７によって実現される。無反応時間提示部３３０は、変動データ２４ｄから、居住者の生活行動により起こる反応としての電力の変動を検出する。また、無反応時間提示部３３０は、この電力の変動が現在時刻までに継続して検出されない時間を算出する。この時間を、以下では無反応時間という。そして、無反応時間提示部３３０は、無反応時間を知らせるためのメッセージを領域５０に提示することにより、ユーザＵ１に対して無反応時間を通知する。
【００３６】
続いて、演算装置２０によって実行される演算処理、及び生活行動表示装置３０によって実行される表示処理について、図４〜１０を用いて説明する。
【００３７】
図４には、演算処理のフローが示されている。この演算処理は、演算装置２０の電源が投入されることにより開始する。
【００３８】
図４に示されるように、演算装置２０のプロセッサ２１は、まず、タイマ２６からタイミングが通知されたか否かを判定する（ステップＳ１）。本実施の形態に係るタイマ２６は、ステップＳ２以降の処理を実行するためのトリガーとなる信号を毎時０分に送信することで、プロセッサ２１に定期的なタイミングを通知する。このため、ステップＳ１において、プロセッサ２１は、現在時刻が毎時０分に該当するか否かを判定することとなる。
【００３９】
タイミングが通知されていないと判定された場合（ステップＳ１；Ｎｏ）、プロセッサ２１は、ステップＳ２を実行することなく、ステップＳ７へ処理を移行する。
【００４０】
一方、タイミングが通知されたと判定された場合（ステップＳ１；Ｙｅｓ）、プロセッサ２１は、終了時刻Ｔｅを決定する（ステップＳ２）。ステップＳ２において決定される終了時刻Ｔｅは、現在時刻である。
【００４１】
次に、プロセッサ２１は、電力計測器１０に対して、Ｐ時間分の電力データ１０ｄの出力を要求する（ステップＳ３）。具体的には、プロセッサ２１は、終了時刻ＴｅまでのＰ時間において計測された電力データ１０ｄの出力を要求する。本実施の形態では、プロセッサ２１は、１時間分のデータを要求する。
【００４２】
次に、プロセッサ２１は、電力計測器１０から電力データ１０ｄを受信して、計測された順で主記憶部２２に格納する（ステップＳ４）。以下では、主記憶部２２に格納されるデータの数をｘ個とする。本実施の形態では、電力計測器１０が１０秒間毎に電力を計測しているため、ｘの値は３６０（１時間／１０秒）となる。
【００４３】
次に、プロセッサ２１は、主記憶部２２に格納されているｘ個のデータから、Ｌ［１］〜Ｌ［ｋ］の値を演算する（ステップＳ５）。Ｌ［１］〜Ｌ［ｋ］各々は、ある長さの時間を周期とする周期的な変動の大きさを示す特徴量である。括弧内の値（１〜ｋ）は、周期が短い順に連番で付される番号である。例えば、Ｌ［１］に対応する周期はＬ［２］に対応する周期より短く、Ｌ［２］に対応する周期はＬ［３］に対応する周期より短い。Ｌ［１］〜Ｌ［ｋ］に対応する周期に相当する時間を、以下では便宜上、電力変動時間という。以下、図５を用いてＬ［１］〜Ｌ［ｋ］の算出手順を具体的に説明する。
【００４４】
図５において黒丸で示される瞬時値Ｎ［１］１、Ｎ［１］２、・・・、Ｎ［１］ｘの各々は、電力データ１０ｄから抽出された計測値に等しい。すなわち、図５において黒丸を結ぶ太い折れ線は、終了時刻ＴｅまでのＰ時間において住宅Ｈ１に供給された電力の推移を示している。例えば、終了時刻Ｔｅが午前１１時ちょうどであるときには、瞬時値Ｎ［１］１が午前１０時０分１０秒に計測された値であって、瞬時値Ｎ［１］ｘが午前１１時０分０秒に計測された値となる。
【００４５】
次に、プロセッサ２１は、隣り合う２つの瞬時値の平均値を順次計算することで、瞬時値Ｎ［１］１〜Ｎ［１］ｘからなる系列Ｎ［１］から、平均値Ｎ［２］１〜Ｎ［２］ｘからなる系列Ｎ［２］を算出する。例えば、プロセッサ２１は、瞬時値Ｎ［１］１に瞬時値Ｎ［１］２を加算して得た和を２で除することにより、平均値Ｎ［２］１を算出する。また、プロセッサ２１は、瞬時値Ｎ［１］２及び瞬時値Ｎ［１］３から平均値Ｎ［２］２を算出する。同様に、プロセッサ２１は、平均値Ｎ［２］３〜Ｎ［２］ｘ−１を算出する。
【００４６】
図５において、系列Ｎ［２］を構成する各平均値は、白抜きの点線に囲まれた丸印で示されている。また、図５中の太い点線は、系列Ｎ［２］を示している。
【００４７】
なお、プロセッサ２１は、瞬時値Ｎ［１］ｘに等しい値を、平均値Ｎ［２］ｘとする。ただし、図５においては、説明のため、瞬時値Ｎ［１］ｘ及び平均値Ｎ［２］ｘは、異なる値として描かれている。その後、プロセッサ２１は、系列Ｎ［２］を、主記憶部３２に格納する。
【００４８】
次に、プロセッサ２１は、系列Ｎ［１］、Ｎ［２］から、差Ｍ［１］１〜Ｍ［１］ｘからなる系列Ｍ［１］を算出する。例えば、プロセッサ２１は、平均値Ｎ［２］１から瞬時値Ｎ［１］１を減算することにより、差Ｍ［１］１を算出する。また、プロセッサ２１は、平均値Ｎ［２］２から瞬時値Ｎ［１］２を減算して差Ｍ［１］２を得る。同様に、プロセッサ２１は、差Ｍ［１］３〜Ｍ［１］ｘを算出する。
【００４９】
図５において、系列Ｍ［１］を構成する差の各々は、太い矢印で示されている。この差の各々は、１つの瞬時値から、その次に計測された瞬時値への変動量を示している。例えば、差Ｍ［１］１は、瞬時値Ｎ［１］１から瞬時値Ｎ［１］２への変動量を示している。
【００５０】
次に、プロセッサ２１は、差Ｍ［１］１〜Ｍ［１］ｘの各々の絶対値｜Ｍ［１］１｜〜｜Ｍ［１］ｘ｜を算出する。この絶対値の各々は、図５において隣り合う瞬時値の間における変動の大きさを示している。
【００５１】
次に、プロセッサ２１は、絶対値｜Ｍ［１］１｜〜｜Ｍ［１］ｘ｜の平均値として、Ｌ［１］を算出する。このＬ［１］は、終了時刻ＴｅまでのＰ時間において、１つの瞬時値が計測されてから次の瞬時値が計測されるまでの電力変動時間における変動の平均的な大きさを示す。本実施の形態に係るＬ［１］は、１０秒間における変動の大きさを示すこととなる。住宅Ｈ１に供給される電力の値が１０秒間程度の間隔で激しく上下するほど、Ｌ［１］の値は大きくなる。このため、Ｌ［１］の値は、１０秒間の電力変動時間を周期とする周期的な変動の大きさを示すものとなる。
【００５２】
次に、プロセッサ２１は、瞬時値Ｎ［１］１〜Ｎ［１］ｘを平均値Ｎ［２］１〜Ｎ［２］ｘに置き換えた上で、同様の手順でＬ［２］を算出する。具体的には、プロセッサ２１は、系列Ｎ［２］のうち、隣り合う２つの値を平均することで、系列［３］を算出する。また、プロセッサ２１は、系列Ｎ［２］、Ｎ［３］から、系列Ｍ［２］を算出する。そして、プロセッサ２１は、系列Ｍ［２］を構成する差の絶対値を平均することにより、Ｌ［２］を算出する。
【００５３】
Ｌ［２］は、終了時刻ＴｅまでのＰ時間において、１つの瞬時値が計測されてから、その２つ後の瞬時値が計測されるまでの電力変動時間における変動の平均的な大きさを示す。したがって、本実施の形態に係るＬ［２］は、２０秒間の電力変動時間を周期とする周期的な変動の大きさを示すものとなる。
【００５４】
次に、プロセッサ２１は、Ｌ［１］及びＬ［２］と同様にして、Ｌ［３］〜Ｌ［ｋ］を算出する。Ｌ［ｋ］は、図５において、各瞬時値から、そのｋ個隣の瞬時値への変動の平均的な大きさを示し、ｋ×１０秒間を周期とする周期的な変動の大きさを示すものとなる。なお、ｋの値は、例えば１８であって、あらかじめ規定される。
【００５５】
図４に戻り、プロセッサ２１は、Ｌ［１］〜Ｌ［ｋ］の演算（ステップＳ５）に続いて、算出したＬ［１］〜Ｌ［ｋ］を、終了時刻Ｔｅ等と組み合わせて、変動データ２４ｄとして記憶する（ステップＳ６）。具体的には、プロセッサ２１は、Ｌ［１］〜Ｌ［ｋ］を、終了時刻Ｔｅ及びＰ時間、並びに、終了時刻ＴｅまでのＰ時間分の電力データ１０ｄと組み合わせて、第２補助記憶部２４に格納する。
【００５６】
次に、プロセッサ２１は、生活行動表示装置３０からの要求があるか否かを判定する（ステップＳ７）。具体的には、プロセッサ２１は、変動データ２４ｄの出力を要求されたか否かを判定する。要求がないと判定された場合（ステップＳ７；Ｎｏ）、プロセッサ２１は、ステップＳ１以降の処理を繰り返す。これにより、演算装置２０は、過去１時間における変動の大きさを示す変動データ２４ｄを毎時０分に生成することとなる。
【００５７】
一方、要求があったと判定された場合（ステップＳ７；Ｙｅｓ）、プロセッサ２１は、要求に応答するための変動データ２４ｄがあるか否かを判定する（ステップＳ８）。具体的には、プロセッサ２１は、第２補助記憶部２４に既に格納されている変動データ２４ｄの出力を、生活行動表示装置３０から要求されたか否かを判定する。変動データ２４ｄがあると判定された場合（ステップＳ８；Ｙｅｓ）、プロセッサ２１は、ステップＳ１１へ処理を移行する。
【００５８】
一方、変動データ２４ｄがないと判定された場合（ステップＳ８；Ｎｏ）、プロセッサ２１は、終了時刻Ｔｅ及びＰ時間の値を設定して、電力データ１０ｄを取得する（ステップＳ９）。具体的には、プロセッサ２１は、生活行動表示装置３０から指定された終了時刻ＴｅまでのＰ時間分の電力データ１０ｄを、ステップＳ３、Ｓ４と同様の手順で電力計測器１０から取得する。
【００５９】
次に、プロセッサ２１は、Ｌ［１］〜Ｌ［ｋ］を算出して、変動データ２４ｄを生成する（ステップＳ１０）。具体的には、プロセッサ２１は、ステップＳ５と同様の手順によりＬ［１］〜Ｌ［ｋ］を算出し、ステップＳ６と同様の手順により変動データ２４ｄを生成する。これにより、プロセッサ２１は、生活行動表示装置３０から指定された時間における電力の変動の大きさを算出することとなる。
【００６０】
次に、プロセッサ２１は、変動データ２４ｄを送信することにより、生活行動表示装置３０に対して応答する（ステップＳ１１）。その後、プロセッサ２１は、ステップＳ１以降の処理を繰り返す。これにより、演算装置２０は、生活行動表示装置３０からの要求に応じて、変動データ２４ｄをすみやかに生活行動表示装置３０へ送信する。
【００６１】
続いて、生活行動表示装置３０によって実行される表示処理について、図６〜１０を用いて説明する。表示処理は、例えば、ユーザＵ１の操作により特定のアプリケーションが起動することで開始する。なお、図６に示される処理は、基本的に、生活行動表示装置３０のプロセッサ３１によって実行されるが、以下では、図２に示される機能の構成を適宜用いて説明する。
【００６２】
図６に示されるように、プロセッサ３１は、まず、入力画面を表示する（ステップＳ２１）。図７には、入力画面の一例が示されている。この入力画面には、ユーザＵ１が所望の情報を画面に描画するためのパラメータが入力される。
【００６３】
図７に示されるように、入力画面は、描画される時間軸４１に関するパラメータを指定するためのボックス６１〜６５、描画される画像パターン４８に関するパラメータを指定するためのボックス６６、入力画面に入力した内容を決定するためのボタン６７、及び、入力画面に入力した内容をキャンセルするためのボタン６８を有している。
【００６４】
ボックス６１、６２は、時間軸４１によって示される期間の開始日時及び終了日時を指定するために用いられる。また、ボックス６３は、時間軸４１の折りたたみ段数を指定するために用いられる。ボックス６４は、時間軸４１の分割方法を指定するために用いられる。ボックス６５は、時間軸の表示方法を指定するために用いられる。ボックス６６は、画像パターン４８のスタイルを指定するために用いられる。
【００６５】
図６に戻り、プロセッサ３１は、ステップＳ２１に続いて、ユーザＵ１からの入力があったか否かを判定する（ステップＳ２２）。具体的には、プロセッサ３１は、入力画面のボタン６７にユーザＵ１の指が触れたか否かを判定する。ユーザＵ１からの入力がないと判定された場合（ステップＳ２２；Ｎｏ）、プロセッサ３１は、ステップＳ２１以降の処理を繰り返す。これにより、生活行動表示装置３０は、ユーザＵ１からの入力を待機することとなる。
【００６６】
一方、ユーザＵ１からの入力があると判定された場合（ステップＳ２２；Ｙｅｓ）、時間軸設定部３１０は、画面３９１上に時間軸４１を設定する（ステップＳ２３）。具体的には、時間軸設定部３１０は、ボックス６３に指定された折りたたみ段数、及びボックス６５に指定された表示方法に基づいて、１本の線を画面３９１に設定する。
【００６７】
例えば、図７に示されるように、「６段」の折りたたみ段数が指定されている場合において、時間軸設定部３１０は、図３に示されるように、左上の開始点４２から右下の終了点４３まで延びる時間軸４１を設定する。この時間軸４１は、開始点４２から右方向へ水平に延びて、領域４０の右端付近の右折り返し点４４に到達すると、左下方向へ斜めに折り返す。左下方向へ延びた時間軸４１は、領域４０の左端付近の左折り返し点４５に到達すると、右方向へ水平に折り返す。そして、時間軸４１は、右折り返し点４４及び左折り返し点４５における折り返しを繰り返した後に、終了点４３に到達する。これにより、指定された折りたたみ段数で折り畳まれた状態の時間軸４１が設定される。ただし、折りたたみ段数は、時間軸４１のうち、水平方向に延びる部分の数を意味する。
【００６８】
また、図７に示されるように、「折り返し時非表示」という表示方法が指定されている場合において、時間軸設定部３１０は、図３に示されるように、時間軸４１のうち、水平に延びる部分を視認可能として、斜めに延びる部分を視認不可能とする。これにより、時間軸４１のうち、水平方向に延びる視認可能な部分のみが、略平行に表示される。
【００６９】
図６に戻り、時間軸設定部３１０は、ステップＳ２３に続いて、時間軸４１と時刻との対応関係を決定し、分割点を設定する（ステップＳ２４）。具体的には、時間軸設定部３１０は、時間軸４１の開始点４２を、ボックス６１に指定された開始日時に対応付けて、時間軸４１の終了点４３を、ボックス６２に指定された終了日時に対応付ける。そして、時間軸設定部３１０は、開始点４２から終了点４３までに相当する期間を、ボックス６４に指定された分割方法で等分割するための分割点を設定する。さらに、時間軸設定部３１０は、設定した分割点に日時を割り振る。
【００７０】
例えば、開始点４２が２０１３年１月１日の０時０分に対応し、終了点４３が同日の２４時０分に対応する場合において、「２４分割（又は１時間毎）」という分割方法が指定されているときに、各分割点には、同日の毎時０分という時刻が割り振られる。
【００７１】
ただし、ボックス６５に「折り返し時非表示」という表示方法が指定されている場合に、時間軸設定部３１０は、時間軸４１のうち視認不可能な部分を除いて、時間軸４１を分割する。例えば、図７に示されるパラメータが入力画面に入力された場合には、図３に示されるように、時間軸４１のうち水平に延びる視認可能な部分のみが分割の対象となる。これにより、左折り返し点４５となる開始点４２及び分割点にはいずれも、０時０分という時刻が割り振られ、右折り返し点４４となる分割点及び終了点４３にはいずれも、２４時０分という時刻が割り振られる。したがって、視認可能な水平な線それぞれは、０時から２４時までの１日間に相当することとなる。
【００７２】
図６に戻り、時間軸設定部３１０は、ステップＳ２４に続いて、目盛り等を表示する（ステップＳ２５）。例えば、時間軸設定部３１０は、各分割点において時間軸４１と交わる短い目盛りを表示する。これにより、分割点の位置が明示される。時間軸設定部３１０は、分割点に割り振られた時刻等を目盛りに付してもよい。また、時間軸設定部３１０は、すべての分割点に目盛りを表示しなくてもよい。図３には、最下段に表示された部分のうち、１個置きの分割点に目盛りを表示した例が示されている。
【００７３】
また、時間軸設定部３１０は、分割点に割り振られた日時の概要を伝える文字列を適宜表示する。例えば、図３に示されるように、時間軸４１に相当する期間が複数の日に渡る場合において、時間軸設定部３１０は、日を跨いだ時刻に相当する位置に、「５月１２日」等の日付を表示する。なお、時間軸設定部３１０は、現在時刻の属する日が始まる時刻に相当する位置には、「本日」という文字列を表示する。また、時間軸設定部３１０は、日付に限らず、毎時０分に相当する位置に、「１時」等の時刻を表示してもよい。
【００７４】
次に、プロセッサ３１は、各分割期間についての変動データ２４ｄを取得する（ステップＳ２６）。具体的には、プロセッサ３１は、分割期間の各々における変動の大きさを示す変動データ２４ｄの出力を、演算装置２０に対して要求し、この要求に対する応答を取得する。分割期間は、時間軸４１に相当する期間から分割された期間であって、１つの分割点に対応する日時から、次の分割点に対応する日時までの期間である。
【００７５】
例えば、図３に示されるように分割点が毎時０分に設定された場合に、プロセッサ３１は、毎時０分を終了時刻とする１時間についての変動データ２４ｄを要求される。この場合に、演算装置２０は、第２補助記憶部２４に既に格納されている変動データ２４ｄを出力することとなる。
【００７６】
次に、プロセッサ３１は、パターン変化処理を実行する（ステップＳ２７）。このパターン変化処理は、表示処理と並列に実行される。以下、パターン変化処理について図８、９を用いて説明する。
【００７７】
図８に示されるように、パターン変化処理において、パターン変化部３２０は、まず、タイマ３６を起動する（ステップＳ３１）。
【００７８】
次に、パターン変化部３２０は、変数ｚにゼロを代入する（ステップＳ３２）。変数ｚの値は、タイマ３６から定期的なタイミングが通知された回数を表す。
【００７９】
次に、パターン変化部３２０は、基準属性値を算出する（ステップＳ３３）。本実施の形態では、パターン変化部３２０は、画像パターン４８の寸法の基準となる中心表示倍率を、基準属性値として算出する。具体的には、パターン変化部３２０は、時間軸４１に相当する期間のうち最新の時刻に計測された電力の値の、あらかじめ設定された最大電力に対する割合の絶対値を算出する。ただし、中心表示倍率の上限値は、１．０と規定される。これにより、０．０〜１．０の範囲に含まれる基準属性値（中心表示倍率）が算出される。
【００８０】
例えば、現在時刻が時間軸４１に相当する期間に含まれていて、３ｋＷが最大電力として設定されている場合において、直近に計測された電力の瞬時値が１．５ｋＷであるときに、基準属性値は０．５と算出される。
【００８１】
次に、パターン変化部３２０は、基準属性値に基づく属性の画像パターン４８を、各分割点上に配置する（ステップＳ３４）。本実施の形態に係るパターン変化部３２０は、図９に示されるように、補助記憶部３３に記憶されている画像パターン４８を、中心表示倍率を乗じた寸法に縮小した上で、分割点上に配置する。例えば、補助記憶部３３に記憶されている画像パターン４８が１０ピクセル四方の正方形であって、中心表示倍率が０．５である場合には、５ピクセル四方の画像パターン４８が配置される。これにより、複数の画像パターン４８が、時間軸４１に重畳した状態で表示される。
【００８２】
なお、補助記憶部３３には、円形のアイコンに外接する正方形の画像が画像パターン４８として格納されている。ただし、この画像のうちアイコン以外の部分は、透過率が１００％に設定されている。このため、画像パターン４８は、実質的に円形のアイコンに等しいものとなる。
【００８３】
次に、パターン変化部３２０は、タイマ３６からの通知があるか否かを判定する（ステップＳ３５）。通知がないと判定された場合（ステップＳ３５；Ｎｏ）、パターン変化部３２０は、ステップＳ３５の判定を繰り返す。
【００８４】
一方、通知があると判定された場合（ステップＳ３５；Ｙｅｓ）、パターン変化部３２０は、変数ｚをインクリメントする（ステップＳ３６）。
【００８５】
次に、パターン変化部３２０は、画像パターン４８を選択する（ステップＳ３７）。具体的には、パターン変化部３２０は、ステップＳ３５にてタイマ３６からの通知があった後に未だ選択されていない画像パターン４８を１つ選択する。
【００８６】
次に、パターン変化部３２０は、選択した画像パターン４８の属性値を算出する（ステップＳ３８）。本実施の形態に係るパターン変化部３２０は、画像パターン４８の寸法を規定するための属性値として、下記の式（１）を用いて表示倍率を算出する。ただし、式（１）中のＳ［ｚ］は表示倍率を表し、Ｓ［０］は中心表示倍率を表す。また、αは、あらかじめ設定される係数である。Ｌ［ｉ］は、画像パターン４８に重畳する分割点に対応する時刻を、終了時刻として含む分割期間における変動の大きさを示す。
【００８７】
【数１】
2015095843.tif 000003
【００８８】
次に、パターン変化部３２０は、算出した属性値に基づいて、画像パターン４８の属性を変更する（ステップＳ３９）。本実施の形態に係るパターン変化部３２０は、画像パターン４８の寸法を、算出した表示倍率を乗じた寸法に縮小又は拡大する。例えば、表示倍率が０．８と算出された場合には、８ピクセル四方の画像パターン４８が表示される。なお、表示倍率の上限値は１．０と規定される。
【００８９】
次に、パターン変化部３２０は、未選択の画像パターン４８があるか否かを判定する（ステップＳ４０）。未選択の画像パターン４８があると判定された場合（ステップＳ４０；Ｙｅｓ）、パターン変化部３２０は、ステップＳ３７以降の処理を繰り返す。これにより、画面３９１に表示された画像パターン４８が順次選択されて、その属性が変更される。
【００９０】
一方、未選択の画像パターン４８がないと判定された場合（ステップＳ４０；Ｎｏ）、パターン変化部３２０は、ステップＳ３５以降の処理を繰り返す。これにより、図９に示されるように、タイマ３６からタイミングが通知される度に、すべての画像パターン４８の属性が変更される。
【００９１】
図６に戻り、ステップＳ２７に続いて、無反応時間提示部３３０は、無反応時間を検出する（ステップＳ２８）。具体的には、無反応時間提示部３３０は、時間軸４１に相当する期間のうち最新の分割期間を特定し、この分割期間における変動の大きさを示すＬ［１］〜Ｌ［ｋ］の和を算出する。無反応時間提示部３３０は、この和があらかじめ定められた閾値を超える場合に、無反応時間をゼロと判定する。
【００９２】
一方、この和が閾値以下である場合に、無反応時間提示部３３０は、直前の分割期間について同様の判定を試みる。直前の分割期間についてのＬ［１］〜Ｌ［ｋ］の和が閾値を超えるときに、無反応時間提示部３３０は、無反応時間を分割期間１つ分の時間（１時間）と判定する。一方、直前の分割期間についてもＬ［１］〜Ｌ［ｋ］の和が閾値以下であるときに、無反応時間提示部３３０は、さらに前の分割期間にさかのぼって同様の判定を繰り返す。これにより、無反応時間提示部３３０は、Ｌ［１］〜Ｌ［ｋ］の和が閾値以下である状態が継続している時間を無反応時間として検出する。
【００９３】
次に、無反応時間提示部３３０は、無反応時間を提示する（ステップＳ２９）。例えば、無反応時間が３時間であるときに、無反応時間提示部３３０は、図３に示されるメッセージを領域５０に表示する。
【００９４】
ただし、無反応時間提示部３３０は、領域５０に表示されるメッセージのサイズを、図１０に示されるように、無反応時間に応じて変更する。これにより、無反応時間が長いほど、大きなサイズのメッセージが表示される。無反応時間の長さとメッセージのサイズとの対応関係は、あらかじめ設定される。
【００９５】
その後、プロセッサ３１は、表示処理を終了する。
【００９６】
以上説明したように、本実施の形態に係る生活行動表示装置３０は、属性を変化させることで、画像パターン４８のアニメーションを表示した。この表示手法は、棒グラフ又は折れ線グラフ等の従来の静的なグラフによる表示手法と大きく異なる。本実施の形態に係る表示手法は、住宅Ｈ１に供給される電力の変動の大きさ及び周期を、画像パターン４８の振動の振幅及び周期として表現する。
【００９７】
具体的には、生活行動表示装置３０は、分割期間毎に表示された画像パターン４８の属性を、式（１）に従って変化させる。式（１）に示されたように、画像パターン４８の属性値は、Ｌ［１］〜Ｌ［ｋ］に対応づけられて、正弦（ｓｉｎ）関数により周期的に変化する。この変化の周期は、式（１）からわかるように、Ｌ［１］〜Ｌ［ｋ］各々に対応する電力変動時間の長さに応じて定められている。
【００９８】
例えば、Ｌ［１］の値のみが顕著に大きく、Ｌ［２］〜Ｌ［ｋ］の値がほぼゼロである場合に、画像パターン４８の属性は、小刻みに振動する。すなわち、画像パターン４８は、短い周期で拡大と縮小を交互に繰り返す。また、Ｌ［１］〜Ｌ［ｋ−１］の値がほぼゼロであって、Ｌ［ｋ］の値のみが顕著に大きい場合に、画像パターン４８の属性は、ゆっくりと振動する。すなわち、画像パターン４８は、長い周期で拡大・縮小を繰り返す。また、Ｌ［１］及びＬ［ｋ］の値が顕著に大きく、Ｌ［２］〜Ｌ［ｋ−１］の値がほぼゼロである場合に、画像パターン４８の属性は、小刻みな振動及びゆっくりとした振動を同時に行って変化する。
【００９９】
これにより、ユーザＵ１は、画像パターン４８の属性の変化を視認することで、各分割期間における周期的な変動の大きさを、おおよそ周期毎に認識することができる。
【０１００】
居住者の生活行動により電気機器が消費する電力は、多様な形態で変動する。すなわち、生活行動によって住宅Ｈ１に供給される電力は、多様な周期で変動し、この周期は、固定的な値をとらない。一方、生活行動に関わらず自動的に運転する電気機器が消費する電力は、比較的長い固定的な周期で変動することが知られている。
【０１０１】
換言すると、生活行動があるときの住宅Ｈ１に供給される電力は、小刻みに変動する一方で、生活行動がないときの電力は小刻みに変動しない。このため、ユーザＵ１は、画像パターン４８の属性が小刻みに変動しているか否かを見るだけで、各分割期間における生活行動の有無を直感的に判断することができる。ひいては、ユーザＵ１に特別な作業を強いることなく、居住者の状態を直感的に把握することができる。
【０１０２】
また、本実施の形態に係る生活行動表示装置３０は、ユーザＵ１によって指定された開始日時、終了日時、折りたたみ段数、分割方法及び表示方法に従って、時間軸４１を設定した。これにより、生活行動表示装置３０は、ユーザＵ１の用途に応じた視認性の高い情報を、画面３９１に容易に表示することができる。
【０１０３】
例えば、生活行動表示装置３０は、時間軸４１を折り畳んで表示した。このため、生活行動表示装置３０は、時間軸４１に相当する期間が比較的長い場合であっても、密度の高い情報を画面３９１に表示することができる。これにより、ユーザＵ１は、画像パターン４８により示される電力の変動が生じた分割期間を、容易に把握することができる。また、ユーザＵ１は、この分割期間における電力の変動と、この分割期間の前後の分割期間、及び上下段に表示される分割期間における電力の変動とを、容易に比較することができる。
【０１０４】
具体的には、ユーザＵ１は、画面３９１を上から下へ順に眺めることにより、複数の日に渡る同一の時間帯における電力の変動を比較することができる。図３に示される例において、ユーザＵ１は、５月１０日〜５月１５日の午前８時〜９時の時間帯における居住者の状態を確認したいときに、５月１０日の午前９時に対応する位置から真下へ視線を移動すればよい。
【０１０５】
また、本実施の形態に係る入力画面（図７参照）においては、分割方法を指定することが可能であった。このため、ユーザＵ１は、１週間が１段に表示されるようにパラメータを指定することで、週毎の電力の変動を容易に比較することができる。
【０１０６】
また、本実施の形態に係る生活行動表示装置３０は、無反応時間を提示した。これにより、ユーザＵ１は、生活行動に対する反応としての電力の変動が検出されない時間を容易に認識することができる。ユーザＵ１は、例えば数百個の分割期間について表示される画像パターン４８を観察する際にも、居住者の異常な状態を見逃すことなく、迅速に危険を察知することができる。
【０１０７】
実施の形態２．
続いて、実施の形態２について、上述の実施の形態１との相違点を中心に説明する。なお、上記実施の形態１と同一又は同等の構成については、同等の符号を用いるとともに、その説明を省略又は簡略する。
【０１０８】
本実施の形態に係る生活行動表示装置３０は、画像パターン４８として波形を表示する点で、実施の形態１に係るものと異なっている。また、この画像パターン４８は、その属性として縦方向（時間軸４１と垂直に交差する方向）のみの寸法が変化する点で、実施の形態１に係るものと異なっている。
【０１０９】
図１１には、画像パターン４８として波形が表示されている画面３９１の例が示されている。この画像パターン４８は、ユーザＵ１が入力画面のボックス６６（図７参照）にて「波形表示」という表示方法を指定することで、表示される。
【０１１０】
本実施の形態に係るパターン変化部３２０は、ステップＳ３３（図８参照）において、図１２に示されるように、幅が１〜ｋであって高さが同一の三角形状の波形ベクトルを、補助記憶部３３から読み込む。なお、パターン変化部３２０は、周期が１〜Ｋの三角波の波形ベクトルを読み込んでもよい。波形ベクトルの次元はいずれもｋ次元である。パターン変化部３２０は、下記の式（２）を用いて、これらの波形ベクトルにＬ［ｉ］を乗じて加算することにより、波形ベクトルＷを得る。ただし、式（２）中のＴ［ｉ］は、幅がｉの波形ベクトルを表す。
【０１１１】
【数２】
2015095843.tif 000004
【０１１２】
パターン変化部３２０は、算出した波形ベクトルＷに基づいて画像パターン４８の形状を定める。そして、パターン変化部３２０は、算出した基準属性値（中心表示倍率）に応じて、画面３９１上に表示される画像パターン４８の、時間軸４１に垂直な方向の寸法を規定する。また、パターン変化部３２０は、分割点とその隣の分割点との距離に応じて、画像パターン４８の時間軸４１に平行な方向の寸法を規定する。
【０１１３】
以上、説明したように、本実施の形態に係る生活行動表示装置３０は、幅が１〜Ｋの三角波各々にＬ［１］〜Ｌ［ｋ］各々を乗じて得た波形を足し合わせて、画像パターン４８とする。このため、画像パターン４８の形状は、電力の変動の周期及び大きさに応じたものとなる。
【０１１４】
例えば、Ｌ［１］の値のみが顕著に大きい場合において、画像パターン４８は、小刻みに振動する波形となる。また、Ｌ［ｋ］の値のみが顕著に大きい場合において、画像パターン４８は、ゆっくりと振動する波形となる。これにより、ユーザＵ１は、画像パターン４８の形状を視認することで、各分割期間における周期的な電力の変動の大きさを、おおよそ周期毎に認識することができる。
【０１１５】
以上、本発明の実施の形態について説明したが、本発明は上記実施の形態によって限定されるものではない。
【０１１６】
例えば、上記実施の形態に係る時間軸４１は、折り畳まれた状態で表示されたが、図１３に示されるように、折り畳まれていない１本の直線として表示されてもよい。
【０１１７】
また、上記実施の形態に係る時間軸４１は、直線から構成されたが、曲線を含んで構成されてもよい。また、時間軸４１のうち視認可能な部分及び視認不可能な部分を任意に設定してもよい。視認可能な部分は、実線で表示されてもよいし、点線を含んで構成されてもよい。
【０１１８】
また、上記実施の形態において、時間軸は開始点４２から終了点４３までの線により規定されたが、これには限定されない。例えば、図１４に示されるように、環状の線を時間軸４１として設定してもよい。また、図１４に示されるように、画像パターン４８同士が重なってもよい。また、時間軸４１の目盛りに代えて、画像パターン４８の付近又は画像パターン４８上に、日時を示す文字列を付してもよい。
【０１１９】
また、上記実施の形態に係る入力画面では、ユーザＵ１によってボックス６１〜６６にパラメータが指定された。この入力画面が最初に表示されたときに、ユーザＵ１からの入力の有無に関わらず、あらかじめ設定されたパラメータが初期値としてボックス６１〜６６に設定されていてもよい。適当な初期値が設定されている場合に、ユーザＵ１は、単にボタン６７に触れるだけで所望の情報を得ることができる。
【０１２０】
また、図１５に示されるように、入力画面には、あらかじめ設定されたパラメータ群をボックス６１〜６６にまとめて入力するためのボタン６９が表示されてもよい。このボタン６９は、例えば、「本日のデータ」というデータセットに基づく情報を表示するためのボタンである。ユーザＵ１がこのボタン６９に触れた場合には、現在時刻の属する日の０時０分が開始日時としてボックス６１に指定され、現在時刻の属する日の２４時０分が終了日時としてボックス６２に指定される。また、「１段」の折りたたみ段数がボックス６３に指定され、「直線表示」という表示方法がボックス６５に指定される。図１３に示される例は、これらのパラメータ群が指定されたときに表示されるものである。
【０１２１】
また、例えば「今週のデータ」というデータセットに基づく情報を表示するボタンにユーザＵ１が触れた場合に、現在時刻の属する週の日曜日の０時０分が開始日時として指定され、この週の土曜日の２４時０分が終了日時として指定されてもよい。さらに、「７段」の折りたたみ段数と、「折り返し時非表示」という表示方法が指定されてもよい。
【０１２２】
また、生活行動表示装置３０は、ボックス６１〜６６各々からプルダウンメニューを展開し、ユーザＵ１によって選択された候補を、指定されたパラメータとして取得してもよい。また、生活行動表示装置３０は、ボックス６１〜６６をテキスト入力フィールドとして表示し、ユーザＵ１によって入力されたテキストを、指定されたパラメータとして取得してもよい。
【０１２３】
また、上記実施の形態に係る生活行動表示装置３０は、画像パターン４８の属性として、その寸法を変化させたが、画像パターン４８の形状、色彩、角度、及び模様を変化させてもよい。
【０１２４】
例えば、図１６に示されるように、補助記憶部３３に格納される変動データ２４ｄに基づいて、Ｌ［１］〜Ｌ［ｋ］に応じた振幅の波形を、画像パターン４８として生成してもよい。そして、上記実施の形態に係る表示倍率に代えて、図１６に示されるように、波形の位相を変更することにより画像パターン４８の形状（属性）を変化させてもよい。
【０１２５】
また、図１７に示されるように、変動データ２４ｄに基づいて、Ｌ［１］〜Ｌ［ｋ］に応じた色相の色で塗りつぶされた図形を、画像パターン４８として生成してもよい。そして、上記実施の形態に係る表示倍率に代えて、図１７に示されるように、図形の明度を変更することにより画像パターン４８の属性を変化させてもよい。
【０１２６】
また、図１８に示されるように、変動データ２４ｄに基づいて、Ｌ［１］〜Ｌ［ｋ］に応じた形状・寸法のファンを示すアイコンを、画像パターン４８として生成してもよい。そして、上記実施の形態に係る表示倍率に代えて、図１８に示されるように、ファンの角度を変更することにより画像パターン４８の属性を変化させてもよい。
【０１２７】
また、図１９に示されるように、変動データ２４ｄに基づいて、Ｌ［１］〜Ｌ［ｋ］に応じた模様のアイコンを、画像パターン４８として表示してもよい。そして、上記実施の形態に係る表示倍率に代えて、図１９に示されるように、模様を変更することにより画像パターン４８の属性を変化させてもよい。
【０１２８】
また、生活行動表示装置３０は、変動データ２４ｄに含まれるＬ［１］〜Ｌ［ｋ］すべてに基づいて、画像パターン４８の属性を変化させなくてもよい。例えば、Ｌ［１］〜Ｌ［ｋ］のうち値が大きい２個だけを用いて、画像パターン４８の属性を変化させてもよい。Ｌ［１］〜Ｌ［ｋ］のうち一部のみを用いる場合には、電力の変動の特徴が強調されて画像パターン４８の属性が変化するため、ユーザＵ１は、より直感的に電力の変動を認識することができる。
【０１２９】
また、演算装置２０による演算は、上記実施の形態に限られない。例えば、演算装置２０は、分割期間における電力の値の推移にフーリエ変換を施して、周期が短い順に、周波数成分のパワーをＬ［１］〜Ｌ［ｋ］としてもよい。
【０１３０】
また、上記実施の形態に係る電力変動時間は、電力計測器１０による計測の周期を単位時間として規定されたが、これには限定されない。例えば、生活行動表示装置３０が、Ｌ［１］〜Ｌ［ｋ］各々に対応する電力変動時間を演算装置２０に対して指定し、演算装置２０が、指定された電力変動時間に基づいてＬ［１］〜Ｌ［ｋ］を算出してもよい。
【０１３１】
また、上記実施の形態に係る生活行動表示システム１００は、電力計測器１０、演算装置２０、及び生活行動表示装置３０から構成されたが、これには限定されない。例えば、生活行動表示装置３０が、演算装置２０の機能を発揮してもよい。また、電力計測器１０が、演算装置２０の機能を発揮してもよい。また、生活行動表示システム１００を１つの装置で実現してもよい。
【０１３２】
上記実施の形態に係る演算装置２０及び生活行動表示装置３０の機能は、専用のハードウェアによっても、また、通常のコンピュータシステムによっても実現することができる。
【０１３３】
例えば、第１補助記憶部２３及び補助記憶部３３に記憶されているプログラムＰ２、Ｐ３を、フレキシブルディスク、ＣＤ−ＲＯＭ（Compact Disk Read-Only Memory）、ＤＶＤ（Digital Versatile Disk）等のコンピュータ読み取り可能な記録媒体に格納して配布し、そのプログラムＰ２、Ｐ３をコンピュータにインストールすることにより、上述の処理を実行する装置を構成することができる。
【０１３４】
また、プログラムＰ２、Ｐ３をインターネット等の通信ネットワーク上の所定のサーバ装置が有するディスク装置等に格納しておき、例えば、搬送波に重畳させて、コンピュータにダウンロード等するようにしてもよい。
【０１３５】
また、通信ネットワークを介してプログラムＰ２、Ｐ３を転送しながら起動実行することによっても、上述の処理を達成することができる。
【０１３６】
更に、プログラムＰ２、Ｐ３の全部又は一部をサーバ装置上で実行させ、その処理に関する情報をコンピュータが通信ネットワークを介して送受信しながらプログラムＰ２、Ｐ３を実行することによっても、上述の処理を達成することができる。
【０１３７】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等してもよい。
【０１３８】
また、演算装置２０及び生活行動表示装置３０の機能を実現する手段は、ソフトウェアに限られず、その一部又は全部を専用のハードウェア（回路等）によって実現してもよい。
【符号の説明】
【０１３９】
１００  生活行動表示システム、  １０  電力計測器、  １０ｄ  電力データ、  １１  分電盤、  １２  商用電源、  １３  引き込み線、  １４  負荷、  ２０  演算装置、  ２１，３１  プロセッサ、  ２２，３２  主記憶部、  ２３  第１補助記憶部、  ２４  第２補助記憶部、  ２４ｄ  変動データ、  ２５，３５  ＲＴＣ、  ２６，３６  タイマ、  ２７，３７  インタフェース部、  ２０１  内部バス、  ３０  生活行動表示装置、  ３３  補助記憶部、  ３８  入力部、  ３９  表示部、  ３９１  画面、  ３９２  ＶＲＡＭ、  ３０１  内部バス、  ３１０  時間軸設定部、  ３２０  パターン変化部、  ３３０  無反応時間提示部、  ４０，５０  領域、  ４１  時間軸、  ４２  開始点、  ４３  終了点、  ４４  右折り返し点、  ４５  左折り返し点、  ４８  画像パターン、  ６１〜６６  ボックス、  ６７〜６９  ボタン、  ３１０  時間軸設定部、  ３２０  パターン変化部、  ３３０  無反応時間提示部、  Ｈ１  住宅、  Ｐ２，Ｐ３  プログラム、  Ｕ１  ユーザ。
【図１】
2015095843.tif 000005
【図２】
2015095843.tif 000006
【図３】
2015095843.tif 000007
【図４】
2015095843.tif 000008
【図５】
2015095843.tif 000009
【図６】
2015095843.tif 000010
【図７】
2015095843.tif 000011
【図８】
2015095843.tif 000012
【図９】
2015095843.tif 000013
【図１０】
2015095843.tif 000014
【図１１】
2015095843.tif 000015
【図１２】
2015095843.tif 000016
【図１３】
2015095843.tif 000017
【図１４】
2015095843.tif 000018
【図１５】
2015095843.tif 000019
【図１６】
2015095843.tif 000020
【図１７】
2015095843.tif 000021
【図１８】
2015095843.tif 000022
【図１９】
2015095843.tif 000023